(57)【要約】      （修正有）【課題】折りたたんで保管、運搬等を行う折りたたみテーブルにおいて、幕板が天板から大きく突出することがなく、コンパクトな折りたたみ状態とすることにより持ち運びを容易にすると共に、折りたたみ状態で幕板の化粧面をそれ自体で保護することにより幕板の体裁を維持する。【解決手段】天板１と、天板１裏側において左右側部それぞれの吊設位置から中央方向へと可倒可能に上端固定された脚部と、この天板１裏側の脚部間において天板１の奥行１ｄ方向のいずれかへと可倒可能に上端固定された幕板３と、からなる折りたたみテーブルであって、幕板３の縦桁３ｌが天板１の奥行１ｄよりも長く、幕板３が、少なくとも一つの折曲辺３ｓで上方へ折曲して幕板３自体で折り重ね可能な折曲構造を具備する。【選択図】図１
2005348879.tif 000002
【特許請求の範囲】
【請求項１】
天板と、天板裏側において左右側部それぞれから中央方向へと可倒可能に上端固定された脚部と、この天板裏側の脚部間において天板の奥行方向のいずれかへと可倒可能に上端固定された幕板と、からなる折りたたみテーブルであって、幕板の縦桁が天板の奥行桁より長く、幕板が、少なくとも一つの折曲辺で上方へ折曲して幕板自体で折り重ね可能な折曲構造を具備することを特徴とする折りたたみテーブル。
【請求項２】
脚部が、天板の左右それぞれの奥行方向に沿って固定された一対の側板を有してなり、天板の裏面に沿うように上端から折り重ねて、前記折り重ねて倒した幕板を両側方向から覆うことのできる請求項１記載の折りたたみテーブル。
【請求項３】
幕板が、天板の奥行方向の中央寄りの吊設位置に吊設されてなる請求項１または２記載の折りたたみテーブル。
【発明の詳細な説明】
【技術分野】
【０００１】
本発明は、折りたたんで保管、運搬等を行える折りたたみテーブルに関する。特に、天板の高さが高いトールタイプのテーブルや、さらには前後両方から対面して使用する対面式テーブルを含むものである。
【背景技術】
【０００２】
従来、天板へ平面視コ字形の形状となるように固設された３枚のパネル部材を有する折りたたみ可能なテーブルが存在する（例えば、特許文献１参照）。かかる折りたたみテーブルにおける３枚のパネルのうち、幕板（正面パネル）は、その側辺で両側板（２枚の側方パネル）や脚部に固定されることで、テーブル全体の剛性を高めることができる。特に、折りたたみ式テーブルにおいては、折りたたみ機構による組み立て時の剛性の低下を抑制することができる。
【０００３】
ここで、脚部の長さが比較的長く、天板の高さが高いトールタイプの対面テーブル（例えば、カウンター用テーブルや、半座椅子と組み合わせて使用される半座用対面テーブル）では、幕板が天板下から床付近までを覆う比較的長い縦桁であることが、体裁上望ましい。特に、対面式テーブルにおいては幕板による体裁が重要である。
【０００４】
すなわち、テーブルの横幅方向に沿って設けられる幕板（正面パネル）は、テーブルの天板以下を覆うことで体裁を整え、また、テーブル使用者のプライバシーを保護する。特に対面式テーブルにおいては、体裁上及び対面する使用者の空間を区切る観点から、脚部と同程度の十分な高さを有し、天板からテーブル下端近傍まで大きく覆うことが必要である。
【特許文献１】登録実用新案第３０８４７４２号公報
【発明の開示】
【発明が解決しようとする課題】
【０００５】
しかしながら、上記従来の折りたたみテーブルにおいてトールタイプを採用した場合には、幕板が天板下から床付近までを覆う比較的長い縦桁のものとしたときに、幕板を天板に折りたたんだ折りたたみ状態で、幕板が天板から大きくはみ出てしまう。
【０００６】
このため、折りたたみ状態で保管、運搬時に嵩張るものであり、折りたたみ時の持ち運びや取り扱いが容易ではなかった。また、折りたたみ状態で突出する幕板が、保管、運搬時に容易に傷つくことがあり、折りたたみ時の取り扱いによって幕板の体裁を維持できない場合があった。
【課題を解決するための手段】
【０００７】
そこで、この発明は、このような点を解決すべくなされたものであって、下記（１）ないし（３）の手段を採用している。
【０００８】
（１）すなわち、本発明の折りたたみテーブルは、天板１と、天板１裏側において左右側部それぞれ（の吊設位置）から中央方向へと可倒可能に上端固定された脚部と、この天板１裏側の脚部間において天板１の奥行１ｄ方向（前後方向）のいずれかへと可倒可能に上端固定された幕板３と、からなる折りたたみテーブルであって、幕板３の縦桁３ｌが天板１の奥行１ｄよりも長く、幕板３が、少なくとも一つの折曲辺３ｓで上方へ折曲して幕板３自体で折り重ね可能な折曲構造を具備することを特徴とする。
【０００９】
このようなものであれば、折曲構造によって幕板３を折り重ねて、幕板３の縦桁３ｌが短い折り重ね状態とすることができる。よって、幕板３を折り重ね状態としたまま天板１へと倒すことで折りたたみ状態を形成でき、これにより形成した折りたたみ状態は、倒した幕板３が天板１から大きく突出することがなく、コンパクトな形態となる。
【００１０】
また、折曲構造によって幕板３を折曲することで、折りたたみ状態において、幕板３の化粧面をそれ自体で保護することができる。
【００１１】
更に、コンパクトな形態の折りたたみ状態としながら、テーブルを組み立てた使用時には、幕板３が天板１の下方を下端付近まで大きく覆う、体裁のよいテーブルの使用状態を形成することができる。すなわち、幕板３の組み立て状態における縦桁３ｌすなわち幕板３高さが、天板１から脚部下端付近にまで及ぶことで、遮蔽性や区画表示性に優れる幕板３となり、テーブルの組み立て時の使用状態において体裁の良いものとなる。特に、下端付近まで及ぶ幕板３を具備するテーブルは、カウンターテーブルや対面式テーブルに適する。
【００１２】
（２）また、前記折りたたみテーブルとして、脚部が、天板１の左右それぞれの奥行１ｄ方向に沿って固定された一対の側板２を有してなり、天板１の裏面に沿うように上端から折り重ねて、前記折り重ねて倒した幕板３（の上方）を両側方向から覆うことのできるものとしてもよい。
【００１３】
このようなものであれば、折りたたみ状態において、天板１裏面に倒した幕板３の、天板１と重なる重畳部分を保護することができる。すなわち、幕板３を倒すことで、天板１裏面と同方向を向く幕板の面を側板２で覆い、保護することができる。
【００１４】
特に、幕板３の表裏のうち一面に化粧面が形成されてなり、この化粧面が、折り重ねによって相反方向を向くような折曲構造であれば、折りたたみ状態において幕板３の化粧面全てを保護することができる。
【００１５】
すなわち、上記折曲構造であれば、折りたたみ状態において幕板３の化粧面は、天板１裏面に対向する“幕板の下方の化粧面”と、天板１裏面と同方向を向く“幕板の上方の化粧面”とから構成されるところ、前者“幕板の下方の化粧面”を天板１の接面によって保護すると共に、後者“幕板の上方の化粧面”を側板２で覆うことによって保護することとなる。また、幕板３の化粧面同士が接面して傷つくことがない。これによって、幕板３の化粧面全てが保護される。
【００１６】
（３）更に、前記いずれかの折りたたみテーブルとして、幕板３が、天板１の奥行１ｄ方向中央寄りの吊設位置に吊設されてなるものとしてもよい。
【００１７】
このようなものであれば、天板１の前後両側から対面して使用できる対面式の折りたたみテーブルに適するものとなる。すなわち、対面したときに、対面した各人の足を天板１の下部へ収納することができる。
【００１８】
また、脚部が一対の側板２である場合には、平面視略Ｈ字状に組み合わされた３枚（２枚の側板と１枚の幕板との合計３枚）の板で天板１を支える構造となり、組み立て時の剛性および耐用性に優れたものとなる。すなわち、例えば幕板３の上端を天板１の前後一方の端にスライドさせて寄せてから天板１と重ねるスライド構造などを採用することが不要となる。このようなスライド構造などを採用した折りたたみテーブルと比較して、幕板３の吊設機構が簡易であり、剛性および耐用性に富むものとなる。
【００１９】
なお、本発明にいう奥行１ｄ方向の中央寄りの吊設位置とは、奥行方向１ｄの前後端を除く位置をいう。この位置は、天板１の奥行１ｄ方向中央およびその近傍であって、脚部が一対の側板２である場合に、平面視略Ｈ字状と判断されるべき位置であり、対面式のテーブルとして問題なく使用できる範囲の位置を意味する。
【発明の効果】
【００２０】
本発明は、上記構造を採用することによって、下記効果を有する。すなわち、幕板が天板から大きく突出することがなく、コンパクトな折りたたみ状態となる。このため、折りたたみ状態で保管、運搬時に嵩張ることがなく、また持ち運びが容易なものとなる。
【００２１】
また、折りたたみ状態で幕板の化粧面をそれ自体で保護することができるため、折りたたみ状態での保管、運搬時によっても容易に傷がつかず、体裁に優れた幕板となる。
【発明を実施するための最良の形態】
【００２２】
以下、この発明の構成を、実施例として示した図面に基づいて詳細に説明する。図１は、本発明の実施例１の折りたたみテーブルの斜視図を、図２ないし図６は、実施例１の折りたたみテーブルを折りたたむ工程を、それぞれ示す斜視図である。図７および図８は、実施例１の折りたたみテーブルを組み立てた組み立て状態すなわちテーブルの使用状態において、側板２と幕板下板３２の正面視左下部分の構造を示すそれぞれ正面視および平面視部分説明図である。また、図９は、実施例１の折りたたみテーブルにおいて棚板６を取り付けた組み立て状態を示す斜視図である。図１０は下部キャスター７を付けた実施例２の折りたたみテーブルを示す斜視図である。
【００２３】
本発明の折りたたみテーブルは、脚部長（本実施例では側板２の縦桁２ｌ）が比較的長く、天板１の高さが高いトールタイプであると共に、天板１の前後両方から足を入れる構造の対面式テーブルであって、奥行（奥行桁）１ｄより横幅１ｗの大きい横長形状の天板１と、天板１裏側の左右それぞれ（から中央方向へ可倒可能）に上端固定された複数の脚部と、この（一対の）側脚部間で天板１裏側の横幅１ｗ方向に沿って（可倒可能に）上端固定された幕板３と、を具備する。
【００２４】
以下、各部を詳述する。天板１は、奥行１ｄより横幅１ｗの大きい横長形状としている（図１）。これにより、脚部が長いトールタイプのテーブルであっても、天板１裏面に倒した脚部が天板１から突出することなく、コンパクトな折りたたみ状態を形成することができる。
【００２５】
また、天板１の裏面の幕板３の吊設位置よりも奥行１ｄ方向の一方に、棒状緩衝材１ｃが接着固定される。この棒状緩衝材１ｃは、棒状のクッション性を有する多孔質弾性体からなるものであり、折りたたみ状態で可倒した幕板３と天板１との接面を緩衝させるものである。棒状緩衝材１ｃは、幕板３の非化粧面側の位置（図１における前方（手前側））に、天板１の横幅１ｗ方向に沿って固定されることが、体裁上好ましい。棒状緩衝材１ｃの固定された側（幕板３の非化粧面側）を手前すなわち前方に位置するようにすれば、組み立てて使用する際に、対面者から視認されることないからである（図１参照）。
【００２６】
複数の脚部は、天板１裏側の左右側端付近に上端固定されてなる。それぞれは上端固定部或いは上端付近において可倒構造を有する。具体的な実施態様として、脚部は、図１、２等に示すような、天板１の左右それぞれの奥行１ｄ方向に沿って固定された一対の側板２であることが好ましい。他に、天板１の周囲（例えば四隅）に固定された、複数本（例えば４本）の脚柱でもよい（図示せず）。
【００２７】
左右の脚部は、上端付近の固定箇所にて、左右それぞれから中央方向へ可倒可能である。つまり、左側の脚部が天板１の横幅１ｗ右方向に沿って可倒し、右側の脚部が天板１の横幅１ｗ左方向に沿って可倒する（図５、図６）。この可倒によって、本発明の折りたたみテーブルは、折りたたみ状態を形成する。
【００２８】
脚部の可倒構造は、脚部の上端付近で内側へ折曲して、天板１に沿う状態まで可倒する構造である。また、脚部たる側板２の可倒によって、可倒状態にある幕板３の上方（天板１の裏側方向）を覆う構造である（図６参照）。これによって、幕板３の可倒状態において、天板１の裏側方向に露出する幕板３上部の化粧面を保護することができる。
【００２９】
脚部の長さ（本実施例では側板２の縦桁２ｌ）は、折りたたみテーブルの用途・仕様等によって任意のものに決定されるが、天板１の横幅１ｗよりも短いことが望ましい。これにより、脚部の可倒状態において、左右の脚部が天板横幅１ｗ方向から突出しないものとなり、コンパクトな折りたたみ状態を形成することができる。
【００３０】
脚部の長さとは、本実施例では側板２の縦桁２ｌのことである。脚部長さたる側板２の縦桁２ｌについて、更に好ましくは、側板２の縦桁２ｌは天板の横幅１ｗの半分よりも短いものである。このようなものであれば、可倒状態において、両側の側板２の下端が重ならずに離れた状態か、或いは、下端同士が部分的に接触する状態となる。これらの状態は、図６に示すような、左右の脚部が重ならない一重の可倒であるため、厚さ方向にコンパクトな折りたたみ状態を形成する。
【００３１】
更に言えば、脚部たる側板２の可倒状態において、下端に突出する左右の脚長アジャスター２１同士が嵌合し、可倒状態をロックできる嵌合構造（図示せず）であることが好ましい。
【００３２】
嵌合構造の例として、例えば、下端に突出する左右の脚長アジャスター２１が、側板２下端に螺合接続された角状の化粧頭部を有する化粧ボルト（図２）からなる場合、以下のものが挙げられる。
【００３３】
すなわち、側板２の左右それぞれにおいて、脚長アジャスター２１が円盤部とねじ部の半径差ずつずれた位置に固定される嵌合構造がある（図示せず）。この構造においては、脚部たる側板２の可倒状態において、左右の脚長アジャスター２１のねじ込み位置に長短の差を設けることで、円盤部が互いに勘合する。
【００３４】
この他、左右の脚長アジャスター２１を同時固定するような嵌合部材を取り付ける構造とすることもできる。嵌合部材とは、前記脚長アジャスター２１の突出部分（ねじ部および化粧頭部）を覆う凹型を両端に形成し、可倒状態の左右側板２の下端の距離を全長として、嵌め込まれる部材が挙げられる（図示せず）。また、他の嵌合部材として、横幅１ｗ方向に沿って巻回するベルトも挙げられる。
【００３５】
嵌合構造（図示せず）により、折りたたみ状態にある折りたたみテーブルの運搬時や移動時に、誤って折りたたみ状態が解除されることのないものとなる。
【００３６】
そして、幕板３は、表裏のうち少なくとも一面を化粧面としてなり、上端辺３ｕが天板１裏側の横幅１ｗ方向に沿うようにして、天板１の奥行１ｄ方向両端（前端及び後端）のいずれかから中央寄りに上端固定される。また、幕板３それ自体の上端固定部或いは上端付近において可倒構造を具備すると共に、上端付近を除く部分（高さ方向中央および下端付近）において折曲構造を具備する。
【００３７】
幕板３は、組み立て状態において天板１の下方の床付近まで届く縦桁３ｌであり、かつ、折りたたみ状態において天板１から突出しないものであり、いずれの状態でも体裁上望ましい。
【００３８】
幕板３の、天板１における吊設位置は、天板１の奥行１ｄ方向両端（前端及び後端）付近を除いた、奥行１ｄ方向中央寄り、すなわち天板１の前後方向両端よりも中央よりの位置である。実施例では、幕板３の化粧面側を奥行１ｄ方向の奥側或いは後方とすると、奥行１ｄ方向中央よりも後方（奥側）に固定される（図１）。
【００３９】
幕板３が、両端付近を除いた中央寄りに位置することで、幕板３に邪魔されることなく、手前側及び奥側の対面者が足を入れて使用できる。よって対面テーブルとして好ましいものとなる（図１参照）。本発明の吊設位置とは逆に、幕板３が天板１の奥行１ｄ方向端部にあると対面者の下半身が入らず、対面式テーブルの使用に適さないものとなる。
【００４０】
幕板３の可倒構造は、幕板３の上端付近で奥行１ｄ方向のいずれか（手前或いは奥側）へ折曲して、天板１に沿う状態まで可倒するように吊着された吊設構造である。
【００４１】
しかして、折曲構造は、幕板３の横幅１ｗ方向に伸びる少なくとも一つの折曲辺３ｓで上方へ折曲して、幕板３自体が折り重ね可能な構造である。。
【００４２】
特に、折りたたみ状態において、天板１に倒した幕板３が、天板１の前端（又は後端）から全く突出することのないものとすれば、極めてコンパクトな平面形態となる。
【００４３】
具体的には、脚部が天板１の奥行１ｄよりも長いトールタイプの折りたたみテーブルにおいて、幕板３の上端辺３ｕから折曲辺３ｓ（複数の折曲辺３ｓの場合には最上に位置する折曲辺３ｓ）までの縦距を、幕板３の吊設位置から天板１の可倒方向の前端（又は後端）までの距離よりも短いものとする。
【００４４】
このようなものであれば、倒して天板１に沿う幕板３が、天板１の前端（又は後端）から全く突出することがない（図４参照）。つまり、このような長さ関係と折曲構造とを具備することによって、極めてコンパクトな折りたたみ状態の折りたたみテーブルを得ることができる。
【００４５】
また、折曲辺３ｓは、幕板３の横幅１ｗ方向に沿って、幕板３の縦桁３ｌを等分した位置に設けられることが好ましい。これにより組み立て時の幕板３の縦桁３ｌを有効に確保することができる。幕板３自体で複数折りできる構造である。実施例の折曲構造は、折曲辺３ｓが一つの、二つ折り構造であり、幕板３の横幅１ｗ方向と平行であり、縦桁３ｌを２等分するように幕板３の縦桁３ｌの半分の位置３ｌ´に設けられる（図３）。
【００４６】
他に、本実施例とは別の実施態様として、複数の並行な折曲辺３ｓを有した多数折り構造の折曲構造でもよい。複数の折曲辺３ｓを有するものとすれば、折曲によって幕板３の縦桁３ｌを極めて短くすることができる。このため、天板１の奥行１ｄに対して脚部が長いトールタイプのテーブルや、或いは、天板１の中央寄りに幕板３が固定された（すなわち、幕板３の吊設位置から可倒方向の天板１（前または後）端部までの距離が、天板奥行１ｄよりも短い）対面式のテーブルにおいても、倒した幕板３が天板１から突出することのないコンパクトな折りたたみ状態の折りたたみテーブルとすることができる。
【００４７】
幕板３は、具体的には、幕板上板３１と、幕板下板３２とが、左右一対の蝶番によって、化粧面を外側として一方向へ折り重ね可能に接合されてなる。
【００４８】
幕板上板３１は、その左右上側方の上端付近に設けられた幕板吊設構造４１によって、天板１に可倒可能に支持固定される。幕板吊設構造４１は、具体的には、幕板上端辺３ｕに沿って左右に突出する突出棒４１ａが、天板１裏側の左右幕板支持孔４１ｂに嵌入してなる構造である。突出棒４１ａで支持されることにより、幕板は、天板１裏面の上端辺３ｕの吊設位置がずれることなく可倒し、また、上端辺３ｕの上面によって天板を確実に支持する。
【００４９】
幕板上板３１の下辺は、両端付近の左右一対の蝶番構造によって、下記幕板下板３２の上辺に沿って隣接される。そして、これら幕板上板３１の下辺および幕板下板３２の上辺は、折曲構造の折曲辺３ｓを構成する。
【００５０】
幕板下板３２の両側部には、側辺の上下端近傍にそれぞれ、幕板３の形態および角度を固定する幕板側部固定構造４２が固設される（図１）。つまり幕板下板３２の略対角線延長位置に、４つの幕板側部固定構造４２が設けられ、これによって幕板３が平板状に開いた状態を確保すると共に、幕板３の天板１に対する吊設角度を固定する。それぞれの幕板側部固定構造４２は、幕板下板３２の平面内に収納しうる閂棒４２ａと、側板２に設けられた閂孔４３ｂと、からなる閂構造である。
【００５１】
閂棒４２ａには、幕板下板３２の内側の端部に短棒が平面視略Ｌ字となるように一端固定されてなる（図7、図８）。この端部の短棒は、閂棒４２ａの幕板下板３２から外側への抜け止めであるとともに、閂棒４２ａの操作レバーである。また、閂棒４２ａの側部中央には球冠状の突部が横断貫通棒によって固定されてなる（図7、図８）。この側部の突部は、閂位置を固定する位置決め部材であると共に閂棒４２ａの幕板下板３２から内側への抜け止めである。
【００５２】
また、幕板下板３２の両側部のうち、前記下方の幕板側部固定構造４２の上部近傍には、側板２との当たりを緩衝させる球冠状の球冠緩衝材３ｃが設けられる。
さらに、幕板下板３２の両側部のうち、前記球冠緩衝材３ｃの上部（であって、かつ下方の幕板側部固定構造４２の上部近傍）には、側板２と幕板３とを固定して側板２の位置を決める側板固定構造５が設けられる。側板固定構造５は、側板２の内部に沿って側板２と垂直に設けられた縦長板へ設けられた縦長孔５ｂと、縦長孔５ｂに先端が嵌入可能となるように幕板下板３２に固定された略コ字型曲板５ａと、からなる。
【００５３】
幕板側部固定構造４２および側板固定構造５によって、折りたたみテーブルを組み立てた組み立て状態を保持固定し、安全な使用を確保することができる。また折りたたみ作業時を迅速、かつ安全に行える。
【００５４】
以上のように構成されたこの発明の折りたたみテーブルは、下記のようにして折りたたむことで、折りたたみ状態を形成する。
【００５５】
先ず、図２に示すように、天板１が下方となるように上下倒転させた上で、幕板下板３２の両側部にある幕板側部固定構造４２の固定を解除し、続けて、側板固定構造５の固定を解除する。そして図３に示すように、倒転によって上方に位置する幕板下板３２を、折曲辺３ｓから幕板上板３１に沿うように折曲させて２つ折に折り重ねて、幕板３を折り重ね状態とする。このとき、倒転状態で側板固定構造５は幕板側部固定構造４２の直下に位置するため、連続的に作業できる。
【００５６】
次に、それ自体を二つ折りに折り重ねた状態の幕板３を、幕板下板３２が天板１に当接するように倒し、幕板３を図４に示すような可倒状態とする。幕板下板３２が天板１に当接する方向へ倒すことで、組み立て時に目立ちやすい幕板上板３１の化粧面を保護することができる。このとき、折り重ね状態の幕板３は、天板１裏面に固定された棒状緩衝材１ｃと接触するため、天板１裏面に接面することはない。
【００５７】
次に、図５に示すように側板２を、天板１の裏面に沿うように左右順に倒して、前記折り重ね状態の幕板３の上を両側方向から覆うようにする。もって、図６に示すような折りたたみ状態とする。
【００５８】
組み立て時には、この一連の折りたたみ作業工程を遡って逆に行う。
【００５９】
この発明は、例えば、図９に示すように組み立て状態で棚板６をスライド構造により取り付けできるものとしてもよく、図１０に示すように両側板２の前後一方に斜走しうる一輪キャスター７を有するものとしてもよい。この他、各部の具体的な構成を含めて上述した実施例に限定されるものでなく、この発明の趣旨を逸脱しない範囲で種々の変形及び組み合わせが可能である。
【図面の簡単な説明】
【００６０】
【図１】本発明の実施例１の折りたたみテーブルの斜視図である。
【図２】実施例１の折りたたみテーブルを上下倒転させた状態を示す斜視図である。
【図３】上下倒転させた実施例１の折りたたみテーブルで幕板３を折り重ねた状態を示す斜視図である。
【図４】上下倒転させた実施例１の折りたたみテーブルで折り重ねた幕板３を倒した状態を示す斜視図である。
【図５】上下倒転させた実施例１の折りたたみテーブルで左右一方の側板２を倒した状態を示す斜視図である。
【図６】上下倒転させた実施例１の折りたたみテーブルで左右両方の側板２を倒した折りたたみ状態を示す斜視図である。
【図７】実施例１の折りたたみテーブルの組み立て状態において側板２と幕板下板３２の構造を示す正面視部分説明図である。
【図８】実施例１の折りたたみテーブルの組み立て状態において図７に示す側板２と幕板下板３２の構造の平面視部分説明図である。
【図９】実施例１の折りたたみテーブルにおいて棚板６を取り付けた組み立て状態を示す斜視図である。
【図１０】キャスター７を付けた実施例２の折りたたみテーブルを示す斜視図である。
【符号の説明】
【００６１】
１  天板
１ｗ  天板の横幅
１ｄ  天板の奥行
１ｃ  棒状緩衝材
２  側板
２ｌ  側板の縦桁
３  幕板
３ｕ  幕板上端辺
３ｓ  折曲辺
３ｂ  幕板上端辺
３ｌ  幕板の縦桁
【図１】
2005348879.tif 000003
【図２】
2005348879.tif 000004
【図３】
2005348879.tif 000005
【図４】
2005348879.tif 000006
【図５】
2005348879.tif 000007
【図６】
2005348879.tif 000008
【図７】
2005348879.tif 000009
【図８】
2005348879.tif 000010
【図９】
2005348879.tif 000011
【図１０】
2005348879.tif 000012